(57)【要約】      （修正有）【課題】ディスプレイ装置を介して、複数の外部装置にそれぞれ保存されているデータ及びアプリケーションを制御することによってデータの編集を容易に行うことができる環境を提供する。【解決手段】ディスプレイ装置は、ディスプレイ部と、ディスプレイ部に映像が表示されるように処理する映像処理部と、コンテンツデータが保存された少なくとも一つの第１外部装置及びコンテンツデータを処理可能なアプリケーションが保存された少なくとも一つの第２外部装置とそれぞれ通信する通信部と、第１外部装置及び第２外部装置と通信してコンテンツデータ及びアプリケーションにそれぞれ対応するＵＩ映像がディスプレイ部に表示されるように映像処理部を制御し、ＵＩ映像を介してアプリケーションによるコンテンツデータの処理を制御する制御部と、を備える。【選択図】図３
2013171585.tif 000002
【特許請求の範囲】
【請求項１】
ディスプレイ装置において、
ディスプレイ部と、
前記ディスプレイ部に映像が表示されるように処理する映像処理部と、
コンテンツデータが保存された少なくとも一つの第１外部装置及び前記コンテンツデータを処理可能なアプリケーションが保存された少なくとも一つの第２外部装置とそれぞれ通信する通信部と、
前記第１外部装置及び前記第２外部装置と通信して、前記コンテンツデータ及び前記アプリケーションにそれぞれ対応するＵＩ映像が前記ディスプレイ部に表示されるように前記通信部を制御し、前記ＵＩ映像を介して前記アプリケーションによる前記コンテンツデータの処理を制御する制御部と、
を備えることを特徴とする、ディスプレイ装置。
【請求項２】
前記ＵＩ映像は、前記第１外部装置に対応する第１ＵＩ映像及び前記第２外部装置に対応する第２ＵＩ映像を含み、
前記制御部は、前記第１ＵＩ映像及び前記第２ＵＩ映像の間のインタラクション入力に応じて前記コンテンツデータの処理が行われるように制御することを特徴とする、請求項１に記載のディスプレイ装置。
【請求項３】
前記第１ＵＩ映像及び前記第２ＵＩ映像は、前記第１外部装置及び前記第２外部装置がそれぞれ提供するＵＩ映像に対応することを特徴とする、請求項２に記載のディスプレイ装置。
【請求項４】
前記第１ＵＩ映像は、前記第１外部装置に保存された前記コンテンツデータのリストを含み、前記第２ＵＩ映像は、前記第２外部装置の前記アプリケーションの実行画面を含み、
前記制御部は、前記リスト上の第１コンテンツデータが前記アプリケーションの前記実行画面にドラッグアンドドロップ（ｄｒａｇ  ａｎｄ  ｄｒｏｐ）することによって、前記第１コンテンツデータが前記アプリケーションにより処理されるように制御することを特徴とする、請求項２に記載のディスプレイ装置。
【請求項５】
前記ディスプレイ部はタッチスクリーンを含み、
前記第１ＵＩ映像及び前記第２ＵＩ映像間のインタラクション入力は、前記タッチスクリーンを介したドラッグアンドドロップ動作を含むことを特徴とする、請求項２に記載のディスプレイ装置。
【請求項６】
前記制御部は、前記コンテンツデータが前記第１外部装置から前記第２外部装置に伝送されるように制御し、前記コンテンツデータが、前記第２外部装置で実行されている前記アプリケーションにより処理されるように前記第２外部装置を制御することを特徴とする、請求項１に記載のディスプレイ装置。
【請求項７】
前記制御部は、前記第２外部装置の前記アプリケーションを前記ディスプレイ装置で実行させ、前記コンテンツデータを前記第１外部装置から受信して、前記ディスプレイ装置で実行中の前記アプリケーションにより処理することを特徴とする、請求項１に記載のディスプレイ装置。
【請求項８】
前記制御部は、前記第２外部装置の前記アプリケーションの実行画面に対応するＵＩ映像を受信し、前記コンテンツデータに対応するＵＩ映像を前記第１外部装置から受信して、前記第２外部装置で実行中の前記アプリケーションにより処理されるようにすることを特徴とする、請求項１に記載のディスプレイ装置。
【請求項９】
ユーザー入力部をさらに備え、
前記制御部は、前記ユーザー入力部を介したユーザー入力に基づいて、前記アプリケーションによる前記コンテンツデータの処理が行われるように制御することを特徴とする、請求項１に記載のディスプレイ装置。
【請求項１０】
前記制御部は、前記アプリケーションにより処理された前記コンテンツデータを、前記第１外部装置、前記第２外部装置及び前記ディスプレイ装置の少なくとも一つを指定して保存することを特徴とする、請求項１に記載のディスプレイ装置。
【請求項１１】
コンテンツデータが保存された少なくとも一つの第１外部装置及び前記コンテンツデータを処理可能なアプリケーションが保存された少なくとも一つの第２外部装置とそれぞれ通信し、前記コンテンツデータ及び前記アプリケーションにそれぞれ対応するＵＩ映像を表示することと、
前記ＵＩ映像を介して、前記アプリケーションによる前記コンテンツデータの処理を指定するコマンドを受信することと、
前記コマンドに応じて、前記アプリケーションによる前記コンテンツデータの処理を制御することと、
を含むことを特徴とする、ディスプレイ装置の制御方法。
【請求項１２】
前記ＵＩ映像は、前記第１外部装置に対応する第１ＵＩ映像及び前記第２外部装置に対応する第２ＵＩ映像を含み、
前記アプリケーションによる前記コンテンツデータの処理を制御することは、前記第１ＵＩ映像及び前記第２ＵＩ映像間のインタラクション入力に応じて前記コンテンツデータの処理を制御することを含むことを特徴とする、請求項１１に記載のディスプレイ装置の制御方法。
【請求項１３】
前記アプリケーションによる前記コンテンツデータの処理を制御することは、
前記コンテンツデータが前記第１外部装置から前記第２外部装置に伝送されるように制御することと、
前記第２外部装置で実行されている前記アプリケーションにより前記コンテンツデータが処理されるように前記第２外部装置を制御することと、
を含むことを特徴とする、請求項１１に記載のディスプレイ装置の制御方法。
【請求項１４】
前記アプリケーションによる前記コンテンツデータの処理を制御することは、
前記第２外部装置の前記アプリケーションを前記ディスプレイ装置で実行させることと、
前記コンテンツデータを前記第１外部装置から受信して、前記ディスプレイ装置で実行中の前記アプリケーションにより処理することと、
を含むことを特徴とする、請求項１１に記載のディスプレイ装置の制御方法。
【請求項１５】
前記ＵＩ映像を表示することは、前記第２外部装置の前記アプリケーションの実行画面に対応するＵＩ映像を受信することを含み、
前記アプリケーションによる前記コンテンツデータの処理を制御することは、前記コンテンツデータに対応するＵＩ映像を前記第１外部装置から受信して、前記第２外部装置で実行中の前記アプリケーションにより処理されるようにすることを含むことを特徴とする、請求項１１に記載のディスプレイ装置の制御方法。
【発明の詳細な説明】
【技術分野】
【０００１】
本発明は、種々の映像を表示するディスプレイ装置及びその制御方法に係り、特に、複数の外部装置間に通信を行いながらそれらの複数の外部装置同士を中継することができるディスプレイ装置及びその制御方法に関する。
【背景技術】
【０００２】
ディスプレイ装置とは、装置自体に保存されていたり、外部の映像供給源から入力される映像信号／映像データを処理してディスプレイ部上に映像で表示する装置のことをいう。ユーザーに提供されるディスプレイ装置は、ＴＶまたはモニターなどが一般的であるが、ユーザーのニーズに応じて、携帯用マルチメディアプレーヤー、携帯電話などの様々な形式に特化・発展していっている。
【０００３】
また、有線／無線の近距離通信の発達に伴い、複数の電子装置が相互接続して種々の信号／情報／データを交換することも可能になった。例えば、ユーザーがカメラで撮像した写真を編集する場合に、カメラは、所定の対象を撮像してデジタルデータファイルとして内蔵する。コンピュータ本体は、あらかじめ設定された有線／無線プロトコルに基づいて、カメラに内蔵された画像データを受信し、画像データを、あらかじめインストールされている編集用アプリケーションを実行して編集する。
【０００４】
このように、データの伝送及び処理は、データを保存している装置、該データを処理するアプリケーションをインストールしている装置の両者が一対一で行ってきた。
【発明の概要】
【発明が解決しようとする課題】
【０００５】
本発明は、ディスプレイ装置を介して、複数の外部装置にそれぞれ保存されているデータ及びアプリケーションを制御することによってデータの編集を容易に行うことができる環境を提供することを一課題とする。
【課題を解決するための手段】
【０００６】
本発明の実施例に係るディスプレイ装置は、ディスプレイ部と、前記ディスプレイ部に映像が表示されるように処理する映像処理部と、コンテンツデータが保存された少なくとも一つの第１外部装置及び前記コンテンツデータを処理可能なアプリケーションが保存された少なくとも一つの第２外部装置とそれぞれ通信する通信部と、前記第１外部装置及び前記第２外部装置と通信して、前記コンテンツデータ及び前記アプリケーションにそれぞれ対応するＵＩ映像が前記ディスプレイ部に表示されるように前記通信部を制御し、前記ＵＩ映像を介して前記アプリケーションによる前記コンテンツデータの処理を制御する制御部と、を備えることを特徴とする。
【０００７】
ここで、前記ＵＩ映像は、前記第１外部装置に対応する第１ＵＩ映像及び前記第２外部装置に対応する第２ＵＩ映像を含み、前記制御部は、前記第１ＵＩ映像及び前記第２ＵＩ映像間のインタラクション入力に応じて前記コンテンツデータの処理を制御してもよい。
【０００８】
ここで、前記第１ＵＩ映像及び前記第２ＵＩ映像は、前記第１外部装置及び前記第２外部装置がそれぞれ提供するＵＩ映像に対応してもよい。
【０００９】
また、前記第１ＵＩ映像は、前記第１外部装置に保存された前記コンテンツデータのリストを含み、前記第２ＵＩ映像は、前記第２外部装置の前記アプリケーションの実行画面を含み、前記制御部は、前記リスト上の第１コンテンツデータが前記アプリケーションの前記実行画面にドラッグアンドドロップ（ｄｒａｇ  ａｎｄ  ｄｒｏｐ）することによって、前記第１コンテンツデータが前記アプリケーションにより処理されるように制御してもよい。
【００１０】
また、前記ディスプレイ部はタッチスクリーンを含み、前記第１ＵＩ映像及び前記第２ＵＩ映像間のインタラクション入力は、前記タッチスクリーンを介したドラッグアンドドロップ動作を含んでもよい。
【００１１】
また、前記制御部は、前記コンテンツデータが前記第１外部装置から前記第２外部装置に伝送されるように制御し、前記コンテンツデータが、前記第２外部装置で実行されている前記アプリケーションにより処理されるように前記第２外部装置を制御してもよい。
【００１２】
また、前記制御部は、前記第２外部装置の前記アプリケーションを前記ディスプレイ装置で実行させ、前記コンテンツデータを前記第１外部装置から受信して、前記ディスプレイ装置で実行中の前記アプリケーションにより処理してもよい。
【００１３】
前記制御部は、前記第２外部装置の前記アプリケーションの実行画面に対応するＵＩ映像を受信し、前記コンテンツデータに対応するＵＩ映像を前記第１外部装置から受信して、前記第２外部装置で実行中の前記アプリケーションにより処理されるようにしてもよい。
【００１４】
また、前記ディスプレイ装置は、ユーザー入力部をさらに備え、前記制御部は、前記ユーザー入力部を介したユーザー入力に基づいて、前記アプリケーションによる前記コンテンツデータの処理を制御してもよい。
【００１５】
また、前記制御部は、前記アプリケーションにより処理された前記コンテンツデータを、前記第１外部装置、前記第２外部装置及び前記ディスプレイ装置の少なくとも一つを指定して保存してもよい。
【００１６】
また、本発明の実施例に係るディスプレイ装置の制御方法は、コンテンツデータが保存された少なくとも一つの第１外部装置及び前記コンテンツデータを処理可能なアプリケーションが保存された少なくとも一つの第２外部装置とそれぞれ通信し、前記コンテンツデータ及び前記アプリケーションにそれぞれ対応するＵＩ映像を表示することと、前記ＵＩ映像を介して、前記アプリケーションによる前記コンテンツデータの処理を指定するコマンドを受信することと、前記コマンドに応じて、前記アプリケーションによる前記コンテンツデータの処理を制御することと、を含むことを特徴とする。
【００１７】
ここで、前記ＵＩ映像は、前記第１外部装置に対応する第１ＵＩ映像及び前記第２外部装置に対応する第２ＵＩ映像を含み、前記アプリケーションによる前記コンテンツデータの処理を制御することは、前記第１ＵＩ映像及び前記第２ＵＩ映像間のインタラクション入力に応じて前記コンテンツデータの処理を制御することを含んでもよい。
【００１８】
ここで、前記第１ＵＩ映像及び前記第２ＵＩ映像は、前記第１外部装置及び前記第２外部装置がそれぞれ提供するＵＩ映像に対応してもよい。
【００１９】
また、前記第１ＵＩ映像は、前記第１外部装置に保存された前記コンテンツデータのリストを含み、前記第２ＵＩ映像は、前記第２外部装置の前記アプリケーションの実行画面を含み、前記インタラクション入力に応じて前記コンテンツデータの処理を制御することは、前記リスト上の第１コンテンツデータが前記アプリケーションの前記実行画面にドラッグアンドドロップすることによって、前記第１コンテンツデータが前記アプリケーションにより処理されるように制御することを含んでもよい。
【００２０】
また、前記ディスプレイ装置はタッチスクリーンを含み、前記第１ＵＩ映像及び前記第２ＵＩ映像間のインタラクション入力は、前記タッチスクリーンを介したドラッグアンドドロップ動作を含んでもよい。
【００２１】
前記アプリケーションによる前記コンテンツデータの処理を制御することは、前記コンテンツデータが前記第１外部装置から前記第２外部装置に伝送されるように制御することと、前記第２外部装置で実行されている前記アプリケーションにより前記コンテンツデータが処理されるように前記第２外部装置を制御することと、を含んでもよい。
【００２２】
また、前記アプリケーションによる前記コンテンツデータの処理を制御することは、前記第２外部装置の前記アプリケーションを前記ディスプレイ装置で実行させることと、前記コンテンツデータを前記第１外部装置から受信して、前記ディスプレイ装置で実行中の前記アプリケーションにより処理することと、を含んでもよい。
【００２３】
前記ＵＩ映像を表示することは、前記第２外部装置の前記アプリケーションの実行画面に対応するＵＩ映像を受信することを含み、前記アプリケーションによる前記コンテンツデータの処理を制御することは、前記コンテンツデータに対応するＵＩ映像を前記第１外部装置から受信して、前記第２外部装置で実行中の前記アプリケーションにより処理されるようにすることを含んでもよい。
【００２４】
また、前記アプリケーションによる前記コンテンツデータの処理を制御することは、前記アプリケーションにより処理された前記コンテンツデータを前記第１外部装置、前記第２外部装置及び前記ディスプレイ装置の少なくとも一つを指定して保存することを含んでもよい。
【発明の効果】
【００２５】
本発明の実施例によれば、ディスプレイ装置を用いて、複数の外部装置にそれぞれ保存されたデータ及びアプリケーションを制御することによって、データの編集を容易に行うことが可能になる。
【図面の簡単な説明】
【００２６】
【図１】本発明の実施例に係るディスプレイ装置の構成を示すブロック図である。
【図２】図１のディスプレイ装置に表示された第１外部装置及び第２外部装置のそれぞれに対応するＵＩ映像を例示する図である。
【図３】図１のディスプレイ装置、第１外部装置及び第２外部装置の信号及びデータ伝送関係を例示する図である。
【図４】本発明の他の実施例に係るディスプレイ装置に表示された第１外部装置及び第２外部装置のそれぞれに対応するＵＩ映像を例示する図である。
【図５】図１のディスプレイ装置の制御方法を示すフローチャートである。
【発明を実施するための形態】
【００２７】
以下、添付の図面を参照して本発明について詳細に説明する。以下の実施例では、本発明の思想と直接的に関連している構成についてのみ説明し、それ以外の構成については説明を省略する。ただし、これら説明の省略された構成が、本発明の思想が適用された装置またはシステムを具現するにあたって不要であるということを意味するわけではない。
【００２８】
図１は、本発明の実施例に係るディスプレイ装置１００の構成を示すブロック図である。図１に示すように、本実施例に係るディスプレイシステムは、映像を表示するディスプレイ装置１００と、該ディスプレイ装置１００と通信して、非限定のコマンド／データ／情報／信号を送受信できる第１外部装置２１０及び第２外部装置２２０と、を備えている。
【００２９】
本実施例では、ディスプレイ装置１００をユーザーによる把持及び携帯が可能なマルチメディアプレーヤーとする。しかし、このディスプレイ装置１００の具現方式に本発明の思想が限定されることはなく、映像を表示し、且つ第１外部装置２１０及び第２外部装置２２０との通信が可能な装置であれば、ＴＶ、モニター、携帯電話などの種々のディスプレイ装置１００にも本発明の思想を適用することができる。
【００３０】
また、第１外部装置２１０及び第２外部装置２２０は、データの保存または処理が可能な電子機器である。本実施例では、第１外部装置２１０がデジタルカメラであり、第２外部装置２２０がタブレットコンピュータである場合について説明するが、これは例示に過ぎず、あらかじめ設定されたプロトコルに基づいてディスプレイ装置１００と通信可能な外部装置であれば特に限定はなく、例えば、コンピュータ本体、カメラ、カムコーダ、携帯電話、ＴＶなどの外部装置も可能である。
【００３１】
以下、ディスプレイ装置１００の構成について説明する。
【００３２】
図１に示すように、ディスプレイ装置１００は、第１外部装置２１０または第２外部装置２２０と通信する通信部１１０と、通信部１１０を介して受信したり、またはディスプレイ装置１００自体に保存されているデータを処理する映像処理部１２０と、映像処理部１２０により処理されたデータに基づく映像が表示されるディスプレイ部１３０と、ディスプレイ装置１００の諸般構成の動作を制御する制御部１４０と、を備えている。
【００３３】
通信部１１０は、第１外部装置２１０または第２外部装置２２０から受信したコマンド／データ／情報／信号を、その特性に基づいて映像処理部１２０または制御部１４０に伝達する。また、通信部１１０は、制御部１４０から伝達されたコマンド／データ／情報／信号を第１外部装置２１０または第２外部装置２２０に伝送することもできる。このように、通信部１１０は、ディスプレイ装置１００を中心にして第１外部装置２１０または第２外部装置２２０との間に両方向通信を具現する。
【００３４】
通信部１１０は、第１外部装置２１０または第２外部装置２２０に一対一でそれぞれ接続する形式を取ってもよく、第１外部装置２１０及び第２外部装置２２０の両方が接続している近距離通信ネットワーク上に接続する形式を取ってもよい。そのために、通信部１１０は、あらかじめ設定された有線／無線通信プロトコルに基づく通信・接続を行う。
【００３５】
映像処理部１２０は、通信部１１０を介して受信したデータ、またはディスプレイ装置１００に既に保存されているデータを、ディスプレイ部１３０に映像で表示されるように処理する。このとき、データが映像データであると、映像処理部１２０は、あらかじめ設定された様々な映像処理プロセスを行う。一方、データが映像データ以外の制御情報またはスクリプト情報などを含むと、映像処理部１２０は、このデータの情報をあらかじめ設定されたアルゴリズムによって処理することで、当該データに基づく映像を生成する。
【００３６】
映像処理部１２０が行う映像処理プロセスの種類は限定されず、例えば、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式に変換するデインターレーシング（ｄｅ−ｉｎｔｅｒｌａｃｉｎｇ）、映像信号を既に設定された解像度に調整するスケーリング（ｓｃａｌｉｎｇ）、映像画質の改善のためのノイズ低減（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換などを挙げることができる。
【００３７】
映像処理部１２０は、種々の機能を統合したＳＯＣ（ｓｙｓｔｅｍ−ｏｎ−ｃｈｉｐ）、またはこれらの各プロセスを独自で行える個別の構成が印刷回路基板上に装着されてなる映像処理ボード（図示せず）とすることができる。
【００３８】
ディスプレイ部１３０は、映像処理部１２０から出力される映像信号／映像データに基づいて映像を表示する。ディスプレイ部１３０の具現方式は限定されず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導型電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）などの様々なディスプレイ方式にすればよい。
【００３９】
ディスプレイ部１３０は、その具現方式によって異なる構成を備えることができる。例えば、ディスプレイ部１３０を液晶方式にした場合に、ディスプレイ部１３０は、液晶ディスプレイパネル（図示せず）と、これに光を供給するバックライトユニット（図示せず）と、パネル（図示せず）を駆動させるパネル駆動基板（図示せず）と、を備える。
【００４０】
本実施例に係るディスプレイ部１３０はタッチスクリーン（ｔｏｕｃｈ−ｓｃｒｅｅｎ）にすることかできる。このディスプレイ部１３０は、パネルへのユーザーのタッチ動作に対応して、あらかじめ設定されたコマンド／信号を制御部１４０に伝達する。
【００４１】
制御部１４０は、通信部１１０に受信されるコマンド、またはディスプレイ部１３０を介した入力コマンドに対応して、ディスプレイ装置１００の動作を制御したり、または対応の制御信号を生成して通信部１１０を介して伝送する。例えば、制御部１４０は、受信されるコマンドの特性に基づいて、映像処理部１２０の映像処理プロセスを制御したり、第１外部装置２１０または第２外部装置２２０に、あらかじめ設定された制御信号を伝送することによって、当該制御信号に応じて第１外部装置２１０または第２外部装置２２０を動作させることができる。
【００４２】
本実施例では、制御部１４０及び映像処理部１２０を別個の構成としているが、制御部１４０及び映像処理部１２０は一つの映像処理ボード（図示せず）で具現されてもよい。
【００４３】
このような構造下で、第１外部装置２１０に保存されたコンテンツデータが第２外部装置２２０に保存されたアプリケーションによって処理されるようにディスプレイ装置１００を介して制御する方法について説明すると、下記の通りである。
【００４４】
本実施例では、第１外部装置２１０に保存された画像データファイルを、第２外部装置２２０に保存された画像編集アプリケーションで編集処理する場合について説明する。ただし、これは単なる一例であり、データまたはアプリケーションの特性、ＵＩ（ｕｓｅｒ  ｉｎｔｅｒｆａｃｅ）映像などに本発明の思想が限定されるものではない。
【００４５】
制御部１４０は、通信部１１０を介して第１外部装置２１０及び第２外部装置２２０に通信可能に接続し、第１外部装置２１０及び第２外部装置２２０のそれぞれに対応するＵＩ映像がディスプレイ部１３０に表示されるように映像処理部１２０を制御する。
【００４６】
このとき、制御部１４０が第１外部装置２１０及び第２外部装置２２０に対応するＵＩ映像を具現する方法は様々である。
【００４７】
例えば、制御部１４０は、第１外部装置２１０及び第２外部装置２２０にＵＩ映像の生成のための要請信号を伝送する。該要請信号に応じて、第１外部装置２１０及び第２外部装置２２０はＵＩ映像の生成に必要な自体情報をそれぞれディスプレイ装置１００に伝送する。制御部１４０は、第１外部装置２１０及び第２外部装置２２０からそれぞれ受信した情報に基づいてＵＩ映像を生成する。
【００４８】
図２は、ディスプレイ部１３０に表示される第１外部装置２１０及び第２外部装置２２０のそれぞれに対応するＵＩ映像３１０を例示する図である。
【００４９】
図２に示すように、制御部１４０は、ディスプレイ部１３０に第１外部装置２１０及び第２外部装置２２０に対応するＵＩ映像３１０を表示する。ＵＩ映像３１０は、第１外部装置２１０に対応する第１ＵＩ映像３１１、及び第２外部装置２２０に対応する第２ＵＩ映像３１２を有しており、第１ＵＩ映像３１１及び第２ＵＩ映像３１２を介して第１外部装置２１０及び第２外部装置２２０の動作をそれぞれ制御することができる。
【００５０】
もし、第１外部装置２１０及び第２外部装置２２０が独自で映像を表示可能な装置であり、且つ独自のＵＩ環境を提供しているとすると、第１ＵＩ映像３１１及び第２ＵＩ映像３１２は、第１外部装置２１０及び第２外部装置２２０がそれぞれ提供するＵＩ環境と同一に構成されてもよい。例えば、第１ＵＩ映像３１１は、第１外部装置２１０自体で提供するＵＩ環境を反映することができる。
【００５１】
先に制御部１４０が伝送した要請信号に応じて、第１外部装置２１０は、既に保存されている画像データファイルに関するリスト情報をディスプレイ装置１００に伝送し、第２外部装置２２０は、自体駆動のための運営体制上のＵＩ環境情報をディスプレイ装置１００に伝送する。
【００５２】
これらの情報に基づいて、制御部１４０は、第１ＵＩ映像３１１及び第２ＵＩ映像３１２を共に表示する。第１ＵＩ映像３１１は、第１外部装置２１０の画像データファイルリストを含み、第２ＵＩ映像３１２は、現在第２外部装置２２０の運営体制上で実行中のアプリケーション画面を含む。
【００５３】
第１ＵＩ映像３１１及び第２ＵＩ映像３１２は相互間にインタラクション（ｉｎｔｅｒａｃｔｉｏｎ）入力が可能なように設けられる。
【００５４】
例えば、第１ＵＩ映像３１１のリスト上の所定のデータファイルを、第２ＵＩ映像３１２のアプリケーションにより処理する場合を考慮してみる。ユーザーは、第１ＵＩ映像３１１のデータファイルをタッチ（ｔｏｕｃｈ）して第２ＵＩ映像３１２にドラッグアンドドロップ（ｄｒａｇ  ａｎｄ  ｄｒｏｐ）させることによって、当該データファイルがアプリケーションにより処理されるようにすることができる。
【００５５】
このような動作に対応して、制御部１４０は次のような動作を行う。制御部１４０は、第１ＵＩ映像３１１の所定のデータファイルが第２ＵＩ映像３１２にドラッグアンドドロップするという入力を受信すると、第１外部装置２１０に、当該データファイルを第２外部装置２２０に伝送するように命令する制御信号を伝送し、第２外部装置２２０に、第１外部装置２１０から受信されるデータファイルをアプリケーションで処理するように命令する制御信号を伝送する。
【００５６】
第１外部装置２１０及び第２外部装置２２０はそれぞれの制御信号に基づいて対応動作を行う。このように、本実施例に係るディスプレイ装置１００は、第１外部装置２１０のデータファイルが第２外部装置２２０のアプリケーションにより処理されるように両装置２１０，２２０間を中継することができる。
【００５７】
また、制御部１４０は、第２ＵＩ映像３１２を介してアプリケーションの処理動作を操作するという入力を受信すると、該入力に対応する制御信号を第２外部装置２２０に伝送することによって、第２外部装置２２０が当該制御信号に対応してアプリケーションを動作させるようにしてもよい。このとき、アプリケーションの動作過程については、第２外部装置２２０からディスプレイ装置１００に実時間で情報を提供することによって第２ＵＩ映像３１２に表示されてもよい。
【００５８】
また、制御部１４０は、アプリケーションによるデータファイルの処理が完了すると、処理されたデータファイルを、第１外部装置２１０、第２外部装置２２０及びディスプレイ装置１００のいずれかを指定して保存させることができる。そのために、制御部１４０は、対応の制御信号を第２外部装置２２０に伝送する。
【００５９】
上記の実施例に限定されず、下記の方法も可能である。
【００６０】
第１外部装置２１０と第２外部装置２２０との通信が可能でない場合の他、両装置間の通信が可能な場合にも、制御部１４０は、第１ＵＩ映像３１１の所定のデータファイルが第２ＵＩ映像３１２にドラッグアンドドロップするという入力を受信すると、第１外部装置２１０からデータファイルを受信して第２外部装置２２０に伝送することもできる。
【００６１】
一方、ディスプレイ装置１００のシステム性能、及びディスプレイ装置１００と第２外部装置２２０との通信環境が保障されると、ディスプレイ装置１００が、アプリケーションによるデータファイルの処理の少なくとも一部を行ってもよい。この場合、制御部１４０は、第２外部装置２２０でアプリケーションによるデータファイル処理が行われる際に、当該処理演算にディスプレイ装置１００のシステム資源を提供したり、処理演算の少なくとも一部を行う。
【００６２】
一方、以上の実施例は、第１外部装置２１０及び第２外部装置２２０をそれぞれ一つとして説明したが、第１外部装置２１０及び第２外部装置２２０をそれぞれ複数個にしてもよい。この場合、ＵＩ映像３１０は、各外部装置２１０，２２０に対応するように複数個に分割表示され、相互間にインタラクション入力が可能なように設けられる。これに関する詳細は、上述の実施例を応用すればよく、その説明を省略する。
【００６３】
以下、本実施例に係るシステム上における信号及びデータの伝送関係について、図３を参照して説明する。図３は、第１外部装置２１０、第２外部装置２２０及びディスプレイ装置１００間の信号／データ／コマンド／情報の送受信関係を示す概念図である。
【００６４】
図３に示すように、ディスプレイ装置１００は、第１外部装置２１０及び第２外部装置２２０に、ＵＩ映像の表示のために関連情報を要請する信号をそれぞれ伝送する（４１０，４２０）。これに応じて、第１外部装置２１０及び第２外部装置２２０は、受信した要請信号４１０，４２０に対応するＵＩ情報をディスプレイ装置１００にそれぞれ伝送する（４３０，４４０）。
【００６５】
ディスプレイ装置１００は、受信したＵＩ情報４３０，４４０に基づいてＵＩ映像を表示する（４５０）。ディスプレイ装置１００は、表示されたＵＩ映像を介して、第１外部装置２１０の所定のデータを第２外部装置２２０のアプリケーションにより処理するように指定する入力を受信することができる。
【００６６】
このような入力を受信すると、ディスプレイ装置１００は、該当のデータを第２外部装置２２０に伝送するように命令する制御信号を第１外部装置２１０に伝送し（４６０）、第１外部装置２１０から受信するデータを処理するように命令する制御信号を第２外部装置２２０に伝送する（４７０）。
【００６７】
第１外部装置２１０は、ステップ４６０の制御信号に応じて、該当のデータを第２外部装置２２０に伝送する（４８０）。
【００６８】
第２外部装置２２０は、第１外部装置２１０から受信したデータに、ステップ４７０の制御信号に基づいてアプリケーションによる処理を行う（４９０）。もし、制御信号４７０に、処理完了したデータを第１外部装置２１０に保存するように指定する情報が含まれていると、第２外部装置２２０は、処理完了したデータを第１外部装置２１０に伝送することによって、第１外部装置２１０に当該データが保存されるようにすることができる（５００）。
【００６９】
このような信号及びデータの送受信過程により、本発明の実施例に係るディスプレイ装置１００は、第１外部装置２１０及び第２外部装置２２０間のインタラクション動作を中継することができる。
【００７０】
一方、ディスプレイ装置１００は、第１外部装置２１０のデータをアプリケーションで処理するにあたり、第２外部装置２２０のアプリケーションをディスプレイ装置１００に実行させ、ディスプレイ装置１００上で実行されるアプリケーションで当該データが処理されるようにしてもよい。
【００７１】
例えば、ディスプレイ装置１００は、第２外部装置２２０にインストールされたアプリケーションの実行のために必要なシステム資源を提供することによって、第２外部装置２２０のアプリケーションがディスプレイ装置１００で実行されるようにしてもよい。
【００７２】
一方、第１外部装置２１０及び第２外部装置２２０が両方とも所定のコンテンツのデータを保存しており、装置２１０，２２０のそれぞれのデータを集めて、ディスプレイ装置１００に設置されているアプリケーションで処理する実施例も可能である。以下、この実施例について図４を参照して説明する。図４は、第２実施例に係るディスプレイ装置１００に表示された第１外部装置２１０及び第２外部装置２２０のそれぞれに対応するＵＩ映像３２０を例示する図である。
【００７３】
本実施例で、ディスプレイ装置１００の構成は、以上の実施例を応用すればよく、その詳細な説明を省略する。また、本実施例は、第１外部装置２１０に保存された画像データファイル及び第２外部装置２２０に保存された音楽データファイルを共に編集処理してアルバムファイルを生成する場合について説明するが、これは一例に過ぎないもので、本発明の思想を限定するものではない。
【００７４】
図４に示すように、制御部１４０は、ディスプレイ部１３０に第１外部装置２１０、第２外部装置２２０及びディスプレイ装置１００のそれぞれに対応するＵＩ映像３２０を表示する。ＵＩ映像３２０は、第１外部装置２１０に対応する第１ＵＩ映像３２１と、第２外部装置２２０に対応する第２ＵＩ映像３２２と、ディスプレイ装置１００自体で提供するＵＩ環境に対応する第３のＵＩ映像３２３を含む。
【００７５】
制御部１４０は、例えば、第１外部装置２１０及び第２外部装置２２０にそれぞれ接続して、第１外部装置２１０に保存された画像データファイルリスト情報、及び第２外部装置２２０に保存された音楽データファイルリスト情報をそれぞれ受信する。そして、制御部１４０は、これら受信した情報に基づいて、第１外部装置２１０の画像データファイルリストを含む第１ＵＩ映像３２１、及び第２外部装置２２０の音楽データファイルリストを含む第２ＵＩ映像３２２を表示する。
【００７６】
そして、制御部１４０は、第１ＵＩ映像３２１及び第２ＵＩ映像３２２に加えて、自体駆動中の運営体制上に設置されたアプリケーションの実行画面を含む第３のＵＩ映像３２３を表示する。
【００７７】
第１ＵＩ映像３２１、第２ＵＩ映像３２２及び第３のＵＩ映像３２３は、各ＵＩ映像３２０が含んでいるオブジェクトのドラッグアンドドロップ動作により相互間にインタラクション動作が可能である。例えば、ユーザーが、第１ＵＩ映像３２１における所定の画像データファイルと第２ＵＩ映像３２２における所定の音楽データファイルをそれぞれ第３のＵＩ映像３２３にドラッグアンドドロップさせると、制御部１４０は、第１外部装置２１０及び第２外部装置２２０から当該画像データファイル及び音楽データファイルをそれぞれ受信し、アプリケーションによる編集処理を行うことによって、新しいアルバムファイルを生成する。
【００７８】
制御部１４０は、ディスプレイ部１３０を介したユーザーの入力に応じて、生成されたアルバムファイルを、ディスプレイ装置１００に保存したり、第１外部装置２１０または第２外部装置２２０に保存されるように伝送することができる。
【００７９】
以下、本発明の実施例に係るディスプレイ装置１００の制御方法について、図５を参照して説明する。図５は、ディスプレイ装置１００の制御方法を示すフローチャートである。
【００８０】
図５に示すように、ディスプレイ装置１００は、データを保存している第１外部装置２１０、及び該データを処理可能なアプリケーションを保存している第２外部装置２２０と通信接続を行う（Ｓ１００）。ディスプレイ装置１００は、第１外部装置２１０のデータ及び第２外部装置２２０のアプリケーションのそれぞれに対応するＵＩ映像を表示する（Ｓ１１０）。
【００８１】
ディスプレイ装置１００は、ＵＩ映像を介してインタラクション入力コマンド、例えば、アプリケーションによるデータの処理を指定するコマンドを受信する（Ｓ１２０）、第２外部装置２２０でデータが処理されるように、第１外部装置２１０から第２外部装置２２０に当該データが伝送されるように制御する（Ｓ１３０）。または、ディスプレイ装置１００は、第２外部装置２２０でアプリケーションによるデータ処理が行われる際に、該データ処理演算の一部を行ってもよい。
【００８２】
ディスプレイ装置１００は、処理完了したデータをあらかじめ指定された装置に保存させる（Ｓ１４０）。
【００８３】
一方、以上説明した実施例では、ユーザーがタッチスクリーンで具現されたディスプレイ部１３０をタッチすることによってＵＩ映像間のインタラクション入力が行われる例について説明したが、ディスプレイ部１３０がタッチスクリーンで具現されていないディスプレイ装置においては、ＵＩ映像間のインタラクション入力が、別個のユーザー入力部（図示せず）を介したユーザー入力に基づいて行われてもよい。
【００８４】
以上の実施例は例示に過ぎず、当該技術の分野における通常の知識を有する者には、様々な変形及び均等な他の実施例が可能である。従って、本発明の真の技術的保護範囲は、添付の特許請求の範囲に記載された発明の技術的思想により定められるべきであろう。
【符号の説明】
【００８５】
１００    ディスプレイ装置
１１０    通信部
１２０    映像処理部
１３０    ディスプレイ部
１４０    制御部
２１０    第１外部装置
２２０    第２外部装置
【図１】
2013171585.tif 000003
【図２】
2013171585.tif 000004
【図３】
2013171585.tif 000005
【図４】
2013171585.tif 000006
【図５】
2013171585.tif 000007